(57)【要約】【課題】位置付け力が確実で良い管柱体棚板位置付け構造を提供する。【解決手段】立て棒上に複数の横方向棒が嵌合され、各横方向棒は、下方にある弾性素子の付勢と行き止め部品の係止とにより、確実に立て棒上に位置付けられ、また、立て棒の外周縁上に多数のリング溝が形成され、横方向棒は前方に支持部が形成され、後方に中空状の嵌合柱が設けられ、また、支持部と嵌合柱とが交差する位置において、下方に槽室が形成され、槽室は後方に嵌合柱の内部と連通する収納槽口が設けられ、両側にピボットホールが貫通され、上方に止まり穴が形成され、弾性素子は横方向棒と行き止め部品との間に設置され、常態である場合、行き止め部品に抵当して斜めになり、行き止め部品は、押し部とそれから延伸して後方端が上から下へ湾曲する抵当部とからなり、また、コーナーに固定軸を貫穿するためのピボットホールが形成される。【選択図】図１
0003124861.tif 000002
【実用新案登録請求の範囲】
【請求項１】
立て棒上に複数の横方向棒が嵌合され、各横方向棒が、下方において、弾性素子の付勢と行き止め部品の係止とにより、確実に立て棒上に位置付けられる管柱体棚板位置付け構造であって、
立て棒の外周縁上に多数のリング溝が形成され、横方向棒において、前方に支持部が形成され、後方に、中空状で内周径が立て棒の外周径よりやや大きい嵌合柱が設けられ、横方向棒が、嵌合柱の設置により、立て棒上に嵌合され、また、支持部と嵌合柱とが交差する位置において、下方に槽室が形成され、槽室において、後方に、嵌合柱の内部と連通する収納槽口が設けられ、両側にピボットホールが貫通され、上方に止まり穴が形成され、弾性素子が、横方向棒と行き止め部品との間に形成され、常態である場合、行き止め部品に抵当して斜めになり、行き止め部品が、押し部と、それから延伸して後方端が上から下へ湾曲する抵当部とからなり、また、当該行き止め部品のコーナーに、固定軸を貫穿するためのピボットホールが形成され、
弾性素子と行き止め部品とが、下から上へ順に横方向棒の槽室に入れ込まれ、そして、固定軸を横方向棒と行き止め部品とのピボットホールに貫穿して、行き止め部品が横方向棒上に軸設され、この時、弾性素子の上方端が止まり穴の中に嵌入されて位置付けられていて、また、下方端が行き止め部品に抵当して斜めになり、そして、押し部に対して上への押し力を印加すると、行き止め部品が回転し、抵当部が収納槽口を介して嵌合柱の内部から外へ移動し、横方向棒が、嵌合柱により立て棒上に嵌合され、また、押し部を放すと、行き止め部品が、弾性素子の付勢により、回転して斜めの状態に戻り、抵当部が、再び、収納槽口から嵌合柱の内部に入り、対応するリング溝に係止される、
ことを特徴とする管柱体棚板位置付け構造。
【請求項２】
横方向棒が異なる方向に立て棒上に設置され、或いは、二つの対向する横方向棒の支持部上に積載板を結合し、或いは、二つの対向する横方向棒の支持部の前方に吊り下げ棒が結合されることを特徴とする請求項１に記載の管柱体棚板位置付け構造。
【請求項３】
横方向棒が対称するように設置され、当該対称する横方向棒の二つの嵌合柱に、それぞれ、立て棒を貫穿し、二つの槽室に、それぞれ、行き止め部品と弾性素子が軸設されて位置付けられ、当該横方向棒が、連動板を嵌合することにより、同時に押すことにより、二つの行き止め部品が同時に回転されて、二つの立て棒上の高さを調整することを特徴とする請求項１に記載の管柱体棚板位置付け構造。
【考案の詳細な説明】
【技術分野】
【０００１】
本考案は、管柱体棚板位置付け構造に関し、特に、位置付け力が確実であるため、重い物を積載することによりか下方から外力を受けることにより脱落することの恐れがない物に関する。
【背景技術】
【０００２】
既存の管柱体と棚板との位置付け構造は、図１１と１２を参照しながら、主として、二つの主支持棒６０上に、上方に積載板６２が固設される複数の対応する支持棒６１が嵌合され、積載板６２を持ち上げることにより、支持棒６１と主支持棒６０との係合が解除され、それから、直接に積載板６２を変位して、高さを調整し、また、積載板６２を下へ押すと、支持棒６１と主支持棒６０とが、再び係合されて位置付けられ、物を積載することに供する。
【０００３】
上記の従来の構造は、次の問題点がある。
【０００４】
主支持棒６０と各支持棒６１との間に、係合力だけにより、積載板６２が位置付けられる形態であって、行き止め力が不足であるため、重い物を積載する時、全体として、下へ滑る恐れがあって、積載物が落ちる恐れがある。
【０００５】
支持棒６１と主支持棒６０との間にある下への係合位置付け力が、支持棒６１が外力により持ち上げられることを防止できないため、当該積載棚が支持棒６１の下方から外力を受ける時、支持棒６１と積載板６２とが一緒に持ち上げられて物品が脱落する恐れがあり、図１３のようである。
【０００６】
高さを調整する時、まず、支持棒６１を持ち上げなければならなく、持ち上げ角度が正しくないため、支持棒６１がスムーズに移動できない恐れがある。
【考案の開示】
【考案が解決しようとする課題】
【０００７】
本考案の主な目的は、横方向棒が、弾性素子の付勢と行き止め部品の係止とにより、確実に立て棒上に位置付けられ、位置付け力が確実であるため、物を積載することによりか下方から外力を受けることにより脱落することの恐れがない管柱体棚板位置付け構造を提供する。
【０００８】
本考案の他の目的は、横方向棒が、嵌合柱により立て棒上に嵌合され、また、抵当部が立て棒のリング溝に係止されることにより、立て棒上に位置付けられ、横方向棒の下方から外力を受けても、当該横方向棒が嵌合柱全体により嵌合されるため、係止力が確実で、脱落することの恐れがない管柱体棚板位置付け構造を提供する。
【０００９】
本考案の更に他の目的は、横方向棒の高さを調整する時、上へ持ち上げることが必要しなく、行き止め部品の押し部を押すことだけで良い管柱体棚板位置付け構造を提供する。
【課題を解決するための手段】
【００１０】
請求項１の考案は、立て棒上に複数の横方向棒が嵌合され、各横方向棒が、下方において、弾性素子の付勢と行き止め部品の係止とにより、確実に立て棒上に位置付けられる管柱体棚板位置付け構造であって、立て棒の外周縁上に多数のリング溝が形成され、横方向棒において、前方に支持部が形成され、後方に、中空状で内周径が立て棒の外周径よりやや大きい嵌合柱が設けられ、横方向棒が、嵌合柱の設置により、立て棒上に嵌合され、また、支持部と嵌合柱とが交差する位置において、下方に槽室が形成され、槽室において、後方に、嵌合柱の内部と連通する収納槽口が設けられ、両側にピボットホールが貫通され、上方に止まり穴が形成され、弾性素子が、横方向棒と行き止め部品との間に形成され、常態である場合、行き止め部品に抵当して斜めになり、行き止め部品が、押し部と、それから延伸して後方端が上から下へ湾曲する抵当部とからなり、また、当該行き止め部品のコーナーに、固定軸を貫穿するためのピボットホールが形成され、弾性素子と行き止め部品とが、下から上へ順に横方向棒の槽室に入れ込まれ、そして、固定軸を横方向棒と行き止め部品とのピボットホールに貫穿して、行き止め部品が横方向棒上に軸設され、この時、弾性素子の上方端が止まり穴の中に嵌入されて位置付けられていて、また、下方端が行き止め部品に抵当して斜めになり、そして、押し部に対して上への押し力を印加すると、行き止め部品が回転し、抵当部が収納槽口を介して嵌合柱の内部から外へ移動し、横方向棒が、嵌合柱により立て棒上に嵌合され、また、押し部を放すと、行き止め部品が、弾性素子の付勢により、回転して斜めの状態に戻り、抵当部が、再び、収納槽口から嵌合柱の内部に入り、対応するリング溝に係止される、ことを特徴とする管柱体棚板位置付け構造である。
【００１１】
請求項２の考案は、横方向棒が異なる方向に立て棒上に設置され、或いは、二つの対向する横方向棒の支持部上に積載板を結合し、或いは、二つの対向する横方向棒の支持部の前方に吊り下げ棒が結合されることを特徴とする請求項１に記載の管柱体棚板位置付け構造である。
【００１２】
請求項３の考案は、横方向棒が対称するように設置され、当該対称する横方向棒の二つの嵌合柱に、それぞれ、立て棒を貫穿し、二つの槽室に、それぞれ、行き止め部品と弾性素子が軸設されて位置付けられ、当該横方向棒が、連動板を嵌合することにより、同時に押すことにより、二つの行き止め部品が同時に回転されて、二つの立て棒上の高さを調整することを特徴とする請求項１に記載の管柱体棚板位置付け構造。
【考案を実施するための最良の形態】
【００１３】
図１と２を参照しながら、立て棒１０に複数の横方向棒２０が嵌合され、各横方向棒２０は、下方にある弾性素子３０の付勢と行き止め部品４０の係止とにより、確実に立て棒１０上に位置付けられ、また、立て棒１０の外周縁上に多数のリング溝１１が形成され、横方向棒２０は、前方に支持部２１が形成され、後方に、中空状で内周径が立て棒１０の外周径よりやや大きい嵌合柱２２が設けられ、横方向棒２０が、嵌合柱２２の設置により、立て棒１０上に嵌合され、また、支持部２１と嵌合柱２２とが交差する位置において、下方に槽室２３が形成され、槽室２３は、後方に、嵌合柱２２の内部と連通する収納槽口２４が設けられ、両側にピボットホール２５が貫通され、上方に止まり穴２６が形成され、弾性素子３０は、横方向棒２０と行き止め部品４０との間に設置され、常態である場合、行き止め部品４０に抵当して斜めになり、行き止め部品４０は、押し部４１と、それから延伸して後方端が上から下へ湾曲する抵当部４２とからなり、また、コーナーに、固定軸を貫穿するためのピボットホール４３が形成される。
【００１４】
図１と３を参照しながら、弾性素子３０と行き止め部品４０とは、下から上へ順に横方向棒２０の槽室２３に入れ込まれ、そして、固定軸を横方向棒２０と行き止め部品４０とのピボットホール２５、４３に貫穿して、行き止め部品４０が横方向棒２０上に軸設され、この時、弾性素子３０は、上方端が止まり穴２６の中に嵌入されて位置付けられていて、また、下方端が行き止め部品４０に抵当して斜めになり、そして、押し部４１に対して上への押し力を印加すると、行き止め部品４０が回転し、抵当部４２が収納槽口２４を介して嵌合柱２２の内部から外へ移動し、横方向棒２０は、嵌合柱２２により立て棒１０上に嵌合されて、適当な高さに位置して、押し部４１を放すと、行き止め部品４０が、弾性素子３０の付勢により、回転して斜めの状態に戻り、抵当部４２が、再び、収納槽口２４から嵌合柱２２の内部に入り、対応するリング溝１１に係止され、当該係止の力により、確実且つ安定的に立て棒１０上に位置付けられる。
【００１５】
図４を参照しながら、横方向棒２０の高さを調整する時、押し部４１に対して上への押し力を印加すると、行き止め部品４０が回転し、抵当部４２が、収納槽口２４を介して外へ移動し、立て棒１０のリング溝１１に係止されることが解除され、横方向棒２０は、係止の力が解除されるため、立て棒１０上で高さを調整でき、適当な高さに調整されて、押し部４１を放すと、行き止め部品４０が、弾性素子３０の付勢により、回転して斜めの状態に戻り、抵当部４２が、再び、対応するリング溝１１に係止されることにより、再び、位置付けられる。
【００１６】
また、図５を参照しながら、横方向棒２０は、異なる方向に立て棒１０上に設置されていいし、また、図６を参照しながら、二つの対向する横方向棒２０の支持部２１上に積載板２７を結合してもいいし、また、図７を参照しながら、二つの対向する横方向棒２０の支持部２１の前方に吊り下げ棒２８が結合されてよく、以上のように、当該管柱体棚板位置付け構造は、衣服棚や積載棚或いは干し物掛け等の形態がある。
【００１７】
また、図８乃至１０を参照しながら、横方向棒２０が対称するように設置されても良く、当該対称する横方向棒２０の二つの嵌合柱２２に、それぞれ、立て棒１０を貫穿し、また、二つの槽室２３に、それぞれ、行き止め部品４０と弾性素子３０が軸設されて位置付けられ、当該横方向棒２０は、連動板５０を嵌合することにより、同時に押すことにより、二つの行き止め部品４０が同時に回転されて、二つの立て棒１０上の高さを調整できる。
【００１８】
上記の具体的な実施例の構造によれば、次の効果が得られる。
【００１９】
横方向棒２０は、弾性素子３０の付勢と行き止め部品４０の係止とにより、確実に立て棒１０上に位置付けられ、積載物や吊り下げ物が重くても、当該横方向棒２０が、確実な位置付け力により支持されるため、下へ滑ることなく、物が落ちて破壊される恐れことは、ない。
【００２０】
横方向棒２０は、嵌合柱２２により立て棒１０上に嵌合され、抵当部４２が立て棒１０のリング溝１１に係止されることにより、立て棒１０上に位置付けられるため、横方向棒２０の下方から外力が印加されても、嵌合柱２２で嵌合することと確実に係止力を有することにより、上へ上げられて全体が地面に落ちる恐れは、ない。
【００２１】
横方向棒２０は、高さを調整する時、上へ持ち上げることが必要しなく、行き止め部品４０の押し部４１を押すことだけで良く、そのため、持ち上げ角度が正しくなく、横方向棒２０がスムーズに移動できない問題は、ない。
【図面の簡単な説明】
【００２２】
【図１】本考案の立体組立て図
【図２】本考案の立体分解図
【図３】本考案の組立て断面図
【図４】本考案の高さを調整する時の作動概念図
【図５】本考案の衣服棚形態の実施例図
【図６】本考案の積載棚形態の実施例図
【図７】本考案の干し物掛け形態の実施例図
【図８】本考案の他の実施例の立体組立て図
【図９】本考案の他の実施例の立体分解図
【図１０】本考案の他の実施例の高さを調整する時の作動概念図
【図１１】既存の管柱体と棚板との位置付け構造を示す図
【図１２】図１１の分解図
【図１３】既存の構造の問題点の説明図
【符号の説明】
【００２３】
１０          立て棒
１１          リング溝
２０          横方向棒
２１          支持部
２２          嵌合柱
２３          槽室
２４          収納槽口
２５          ピボットホール
２６          止まり穴
２７          積載板
２８          吊り下げ棒
３０          弾性素子
４０          行き止め部品
４１          押し部
４２          抵当部
４３          ピボットホール
５０          連動板
【図１】
0003124861.tif 000003
【図２】
0003124861.tif 000004
【図３】
0003124861.tif 000005
【図４】
0003124861.tif 000006
【図５】
0003124861.tif 000007
【図６】
0003124861.tif 000008
【図７】
0003124861.tif 000009
【図８】
0003124861.tif 000010
【図９】
0003124861.tif 000011
【図１０】
0003124861.tif 000012
【図１１】
0003124861.tif 000013
【図１２】
0003124861.tif 000014
【図１３】
0003124861.tif 000015